(57)【要約】【課題】フィルム片を断続させた設計で複数の小さく分断された部分で構成し、自動化機械設備で両面テープを下方向に押し当て、小さく分断された前記フィルム片を固定物に貼り付けて自動的に貼り付けを行うことができる、自動化貼り付けが可能な両面テープの提供。【解決手段】本考案の自動化貼り付けが可能な両面テープは、断続した設計で一定の適切な長さごとに間隔を設けたフィルム片と、前記フィルム片の上下表面にそれぞれ設けた２つの粘着剤層と、前記フィルム片上表面の前記粘着剤層に貼り合わせられた離型紙を含み、そのうち、前記離型紙は前記フィルム片上方に位置し、連続した設計を採用し、これにより、自動化機械設備で両面テープを下方向に押し当て、小さく分断されたフィルム片を固定物に貼り付けて自動化貼り付けという目的を達する。【選択図】図４
0003125713.tif 000002
【実用新案登録請求の範囲】
【請求項１】
フィルム片と、２つの粘着剤層と、離型紙を含み、そのうち、前記フィルム片が断続した設計であり、一定の適切な長さごとに間隔が設けられ、前記２つの粘着剤層は前記フィルム片の上下表面にそれぞれ設けられ、前記離型紙は前記フィルム片の上表面の前記粘着剤層に貼り合わせられ、フィルム片上方に位置し、前記離型紙は連続した設計であることを特徴とする、自動化貼り付けが可能な両面テープ。
【請求項２】
前記離型紙とフィルム片を貼り合わせた後、ロール状に巻き取ることができる、請求項１に記載の自動化貼り付けが可能な両面テープ。
【請求項３】
前記フィルム片の適切な長さが使用者の必要に応じ設定される、請求項１に記載の自動化貼り付けが可能な両面テープ。
【考案の詳細な説明】
【技術分野】
【０００１】
本考案はテープに関し、詳細には、自動化方式でテープを固定物上に貼り付けることができる、自動化貼り付けが可能な両面テープに関する。
【背景技術】
【０００２】
従来の両面テープは主にフィルム片、２つの粘着剤層及び離型紙から構成される。そのうち、前記２つの粘着剤層は前記フィルム片の上下表面にそれぞれ塗布され、前記フィルム片の両面に粘着性を持たせている。この粘着剤層を塗布したフィルム片の両面に離型紙を貼り合わせ、巻き取って１つの巻きテープを形成している。
【０００３】
図１及び図２に従来の両面テープの切断時の状態を示す立体図及び離型紙を剥がすときの状態を示す立体図をそれぞれ示す。従来の両面テープ１は連続した長細い形状であるため、使用時には使用者がはさみやナイフでテープを適切な長さに切る必要があるため、その利便性に限りがある。このほか、前記フィルム片１１と離型紙１２の両者は全体がぴったりと貼り合わされているため、使用者が剥がすときにフィルム片１１及び離型紙１２の境目が分別しにくく、分離に時間がかかり、目が疲れる。
【０００４】
図３に従来のシート型の両面テープを示す。このような両面テープ２の離型紙２２及びフィルム片２１はシート状であり、離型紙２２が粘着剤層を塗布したフィルム片２１に貼り合わせられた後、さらにその上に複数本の分断線２３が設けられている。このような両面テープ２は、長さが大体において使用者の必要な規格であるため、分断線２３に沿って必要な本数のテープをシートから分離するだけでよい。これにより、上述の従来の両面テープ１のようにはさみを利用して切断しなければならないという不便さを回避することができる。しかしながら、両面テープ２の形態がシート状を呈するため、空間を占用しやすい。且つ、このような両面テープ２のフィルム片２１と離型紙２２の両者はやはり全体がぴったりと貼り合わされており、剥がすときにやはり時間がかかり、目が疲れるという問題がある。
【０００５】
このように、従来の両面テープは、フィルム片が連続した長細い形状であり、貼り付けるときにはさみで切断する必要があったり、或いはその形状が水平なシート状であり、離型紙がフィルム片の上下両側に位置するため、自動化設備で直接下方向へ押し当てて固定物に貼り付けることができず、現今の施工自動化の傾向に合わないものとなっている。
【０００６】
このため、本考案は従来の技術的な不便さを解決し、自動的に貼り付けることができる両面テープをいかに提供するかを積極的に探るものである。
【考案の開示】
【考案が解決しようとする課題】
【０００７】
上述の従来方式の各欠点に鑑みて、本考案の考案者はその不完全さに感じ入り、その関連産業における長年の経験に基づき研究を重ね、機械設備を利用して自動的に固定物上に貼り付けることができる両面テープの開発に至ったものである。
【０００８】
本考案の主な目的は、フィルム片を断続させた設計で複数の小さく分断された部分で構成し、これにより自動化機械設備で両面テープを下方向に押し当て、小さく分断されたフィルム片を固定物に貼り付けて自動的に貼り付けを行うことができる、自動化貼り付けが可能な両面テープを提供することにある。
【課題を解決するための手段】
【０００９】
上述の目的を達するため、本考案の自動化貼り付けが可能な両面テープは、断続した設計で一定の適切な長さごとに間隔を設けたフィルム片と、前記フィルム片の上下表面にそれぞれ設けた２つの粘着剤層と、前記フィルム片上表面の前記粘着剤層に貼り合わせられた離型紙を含み、そのうち、前記離型紙は前記フィルム片上方に位置し、連続した設計を採用し、これにより、自動化機械設備で両面テープを下方向に押し当て、小さく分断されたフィルム片を固定物に貼り付けて自動化貼り付けという目的を達する。
【考案を実施するための最良の形態】
【００１０】
以下、本考案の目的、特徴及び効果についてより理解を促すため、具体的な実施例と図面に基づき、本考案をより詳細に説明する。
【００１１】
図４に本考案の両面テープの構造を示す側面図、図５に本考案の立体斜視図をそれぞれ示す。
【００１２】
これらの図からはっきりと分かるように、自動化貼り付けが可能な両面テープ４は、フィルム片４１と、２つの粘着剤層４２と、離型紙４３を含み、前記フィルム片４１は断続した設計で、一定の適切な長さごとに間隔４１１を備え、この長さは使用者の必要に応じ適切に設定するものとし、前記粘着剤層４２は前記フィルム片４１の上下表面にそれぞれ設けられ、塗布または粘着方式で前記フィルム片４１の表面に固定され、２つの表面共に粘着性を形成し、前記離型紙４３は連続した設計を採用し、フィルム片４１上表面の粘着剤層４２に貼り合わせられ、前記フィルム片４１の上方に位置し、前記離型紙４３とフィルム片４１を貼り合わせた後、ロール状に巻き取ることができ、巻き取ったとき前記フィルム片４１が前記離型紙４３の内側に位置する。
【００１３】
図６、図７、図８に本考案の両面テープを自動化機械設備で固定物上に貼り合わせる手順１、手順２、手順３をそれぞれ示す。本考案の自動化貼り付けが可能な両面テープ４は物体と物体の間を貼り合わせるためのインターフェースとすることができ、バックライトモジュールやノートブックコンピュータ及びその他あらゆる貼り合わせが必要な領域に適用することができる。図に示すように、フィルム片４１の間隔４１１の無粘着剤区域により、フィルム片４１は一定長さの複数の分断された部分から構成される。このため、自動化機械設備４４を利用して、自動化貼り付けが可能な両面テープ４を動かし、自動的に固定物上に貼り付けることができる。自動化機械設備４４で両面テープ４を引き出し、フィルム片４１の分断された一部分と固定物の位置を合わせ（図６参照）、自動化機械設備４４の押し当て部４４１が下方向に固定物に対して押し当てられると、フィルム片４１が固定物上に貼り付けられ（図７参照）、自動化機械設備４４の押し当て部４４１が上方向に移動すると、フィルム片４１がすでに固定物上に貼り付けられた状態となり、且つ、離型紙４３がすでにフィルム片４１から剥がされた状態となる。自動化機械設備４４は両面テープ４をさらに外側へ向かって一定長さ引き出し、分断された一部分のフィルム片４１と新たに設置された固定物の位置を合わせ、再度自動化貼り付け動作を繰り返し行う。
【００１４】
上述のように、本考案の自動化貼り付けが可能な両面テープ４は巻き取ることができるため、従来のシート状の両面テープにおける空間を占用してしまうという問題を解決することができる。また、本考案のフィルム片４１は間隔４１１が設けられており、分断された複数の小さな部分から成るため、自動化機械設備４４が下方向に押し当て動作を行うと、フィルム片４１の分断された一部分のみが固定物上に貼り付けられ、前記間隔４１１の設計により従来のようにはさみを利用して両面テープを切断しなければならないという問題を解決することができる。特に、前記間隔４１１の設計により、フィルム片４１と離型紙４３は全体が重なった状態ではないため、従来の両面テープの離型紙を剥がしにくいという問題を回避することができる。このほか、本考案のフィルム片４１は一定長さの複数
の分断された小さな部分から構成されるため、自動化機械設備４４でこの小さく分断された一部分を固定物上に押し当てることで自動化貼り付けの目的を達することができる。
【図面の簡単な説明】
【００１５】
【図１】従来の両面テープ切断時の状態を示す立体図である。
【図２】従来の両面テープの離型紙を剥がすときの状態を示す立体図である。
【図３】従来のシート状両面テープの立体図である。
【図４】本考案の両面テープの側面図である。
【図５】本考案の両面テープの立体斜視図である。
【図６】本考案の両面テープを自動化機械設備で固定物上に貼り付ける手順１を示す立体図である。
【図７】本考案の両面テープを自動化機械設備で固定物上に貼り付ける手順２を示す立体図である。
【図８】本考案の両面テープを自動化機械設備で固定物上に貼り付ける手順３を示す立体図である。
【符号の説明】
【００１６】
１…両面テープ、１１…フィルム片、１２…離型紙、２…両面テープ、２１…フィルム片、２２…離型紙、２３…分断線、４…自動化貼り付けが可能な両面テープ、４１…フィルム片、４１１…間隔、４２…粘着剤層、４３…離型紙、４４…自動化機械設備、４４１…押し当て部
【図１】
0003125713.tif 000003
【図２】
0003125713.tif 000004
【図３】
0003125713.tif 000005
【図４】
0003125713.tif 000006
【図５】
0003125713.tif 000007
【図６】
0003125713.tif 000008
【図７】
0003125713.tif 000009
【図８】
0003125713.tif 000010